(57)【要約】【課題】水平方向においては低剛性で且つ位置決め性がよく、軸方向においては、メカシャーシの変位の小さい、変位規制が強い、光ディスク装置用ダンパおよび光ディスク装置を提供する。【解決手段】円筒状のダンパ１０は、軸方向の中央部において、円筒の外周に設けられた溝１２を有し、溝１２によって上部円筒体１１ａと下部円筒体１１ｂとに分離される。上部円筒体１１ａおよび下部円筒体１１ｂはそれぞれの端部に平面部１３，１８を有し、上部円筒体１１ａおよび下部円筒体１１ｂのそれぞれの平面部１３，１８の中央部には突起部１４，１９が設けられる。円筒状のダンパ１０の内周部であって、溝１２に対向する位置には内周方向に延在する薄肉連結部２２が設けられ、薄肉連結部２２の内周側端部には、軸方向に沿って延在する内側円筒体１７が設けられる。【選択図】図１
2012138136.tif 000002
【特許請求の範囲】
【請求項１】
対向する上壁と下壁との間に配置され、弾性体で形成された円筒状のダンパであって、
振動する部材を保持する保持部を有する外側円筒体と、
前記外側円筒体の内周面から離れて位置し、前記対向する上壁と下壁とを接続する接続部材を取り囲む内側円筒体と、
前記外側円筒体と前記内側円筒体とを接続する薄肉連結部とを含み、
前記外側円筒体の軸方向の上端部および下端部のうち、少なくともいずれか一方の端部には軸方向に凹凸となる形状を有する、ダンパ。
【請求項２】
前記保持部は前記外側円筒体の外周に設けられた溝である、請求項１に記載のダンパ。
【請求項３】
前記内側円筒体は、前記薄肉連結部の軸方向の一方側にのみ設けられる、請求項１または２に記載のダンパ。
【請求項４】
前記内側円筒体は前記薄肉連結部の他方側にも設けられる、請求項３に記載のダンパ。
【請求項５】
前記凹凸形状は前記上端部および前記下端部の両方に設けられる、請求項１〜４のいずれかに記載のダンパ。
【請求項６】
前記薄肉連結部には貫通孔が設けられる、請求項１〜５のいずれかに記載のダンパ。
【請求項７】
請求項１〜６のいずれかに記載のダンパを有する光ディスク装置。
【発明の詳細な説明】
【技術分野】
【０００１】
この発明はダンパおよびダンパを有する光ディスク装置に関し、特に、高速回転時においても振動吸収特性や位置決め精度の高いダンパおよびダンパを有する光ディスク装置に関する。
【背景技術】
【０００２】
従来の光ディスク装置に使用されるダンパが、たとえば、特許第３５８５９５３号公報（以下、「特許文献１」という）や実開平１−１７４７９０号公報（以下、「特許文献２」という）に開示されている。
【０００３】
図７は特許文献１に開示されたダンパを示す図である。図７を参照して、従来の光ディスク装置に使用されるダンパ１００は、全体として瓢箪型で、上部突出部１０１ａと下部突出部１０１ｂと、上下の突出部１０１ａ，１０１ｂの間に設けられた凹部１０４とを有し、筐体１０３に取付けねじ１０２で取付けられている。凹部１０４は光ディスク装置の駆動ユニットを保持するメカシャーシ１０６を保持する。
【０００４】
上部突出部１０１ａは取付けねじ１０２の頭部１０２ａの下側に当接する上端部１０８と、上端部１０８に連続して取付けねじ１０２の頭部１０２ａの下方で取付けねじ１０２の軸部１０２ｂに当接する端部１０９とを有する。下部突出部１０１ｂは光ディスク装置の筐体１０３の上部に当接する下端部１１０と、下端部１１０に連続して取付けねじの下方で且つ筐体１０３の上部で取付けねじ１０２の軸部１０２ｂに当接する端部１１１とを有する。なお、凹部１０４はその取付けねじ１０２側に突出した突出部１１２を有し、この突出部１１２は光ディスク駆動ユニットの駆動時に取付けねじ１０２に当接する。
【０００５】
特許文献２は水平方向と垂直方向とのばね特性がほぼ同じにされたディスク駆動装置のダンパを提供することを目的としている。図８は特許文献２に開示されたダンパを示す図である。図８（Ａ）はダンパの一部断面図を含む側面図であり、図８（Ｂ）は図８（Ａ）においてＶＩＩＩＢ-ＶＩＩＩＢで示す部分の断面図であり、図８（Ｃ）は図８（Ａ）においてＶＩＩＩＣ-ＶＩＩＩＣで示す部分の平面図であり、図８（Ｄ）は図８（Ａ）に示したダンパの取付け状態を示す図である。
【０００６】
図８を参照して、ダンパ１２０は、中央に貫通孔１２３を有する円筒状のゴム弾性体であり、外周面に溝１２１を有し、軸方向の端部の面には軸方向に突出する３個の突起部１２２が設けられている。また、図８（Ｂ）に示すように、貫通孔１２３の内周面には径方向に突出する突出部１２４が３箇所設けられるとともに、溝１２１内には放射状に隆起部１２５が設けられている。このダンパ１２０は、図８（Ｄ）に示すように、上部に所定の径を有する頭部１３１を有し、下端部にねじ部を有する取付け軸１３２とナット１３３でダンパ１２０を筐体１３４に取り付けるとともに、ダンパ１２０の溝１２１で光ディスク装置の駆動ユニットを保持するメカシャーシ１３５を保持する。一方、上部の突起部１２２はその頂部で取付け軸１３２の頭部１３１の下の面に当接し、下部の突起部１２２はその頂部で筐体１３４の上面に当接する。
【先行技術文献】
【特許文献】
【０００７】
【特許文献１】特許第３５８５９５３号公報
【特許文献２】実開平１−１７４７９０号公報
【発明の概要】
【発明が解決しようとする課題】
【０００８】
従来の光ディスク装置用のダンパは上記のように構成されていた。
【０００９】
近年、ブルーレイディスクの登場等による光ディスクの高速化により、水平方向の振動が増加し、光ディスク装置を内蔵するノート形のパソコンにおいては、光ディスク装置の外部装置であるパソコンへの伝達振動が問題となりつつある。したがって、水平方向の剛性を低下させ、振動吸収性を上げることが必要となる。
【００１０】
また、光ディスク装置の薄型化が進み、光ディスクの回転振動による軸方向のシャーシの変位、及び、外部から振動ショック等の外的要因によるシャーシの変位が問題となる。したがって、シャーシの変位を抑制することが必要となる。
【００１１】
さらに、光ディスク装置のコンパクト化が進み、光ディスクと筐体とのクリアランスが狭くなっているため、水平方向の位置決め性も高める必要がある。
【００１２】
このような高速化した光ディスク装置用のダンパとしては、上記した従来の光ディスク装置用のダンパでは次のような問題があった。  
【００１３】
図７に示したダンパ１００においては、ダンパ１００の、光ディスク駆動部を保持するメカシャーシ１０６を支持する部分の反対側に取付けねじ１０２の軸部１０２ｂに当接する水平方向の突出部１１２を有している。したがって、水平方向において剛性が高く、メカシャーシ１０６の水平方向の振動吸収性が悪いという問題があった。また、軸方向においては、ダンパが軸方向に突出部１０８，１１０を有し、上部突出部１０８で取付けねじ１０２の頭部１０２ａ下面に当接し、下部突出部１１０で筐体１０３に当接している。したがって、メカシャーシ１０６と上下の当接部との間はダンパ１００本体を構成する薄いゴムとゴムで囲まれた空間とでのみ保持されているため剛性が低く、メカシャーシ１０６の軸方向の変位を抑制することが困難である、すなわち、変位規制が効かない、という問題があった。
【００１４】
また、図８に示したダンパ１２０においては、水平方向と垂直（軸）方向とのばね特性がほぼ同じである。水平方向においては、３箇所の突出部１２４のみが取付け軸１３２に当接するので、位置決め性が悪い。また、軸方向においてはメカシャーシ１３５の振動はダンパ１２０の上端部の突起部１２２と取付け軸の頭部１３１の下の面との当接部、および、下端部の突起部１２２と筐体１３４との当接部とで吸収しているため、これらの突起部が容易に変形する。その結果、水平方向における位置決め性が悪く、軸方向の変位規制が効かないという問題があった。
【００１５】
この発明は上記のような問題点に鑑みてなされたもので、水平方向においては低剛性で且つ位置決め性がよく、軸方向においては、メカシャーシの変位の小さい、変位規制が強い、光ディスク装置用ダンパおよび光ディスク装置を提供することを目的とする。
【課題を解決するための手段】
【００１６】
この発明に係るダンパは、対向する上壁と下壁との間に配置され、弾性体で形成された円筒状である。ダンパは、振動する部材を保持する保持部を有する外側円筒体と、外側円筒体の内周面から離れて位置し、対向する上壁と下壁とを接続する接続部材を取り囲む内側円筒体と、外側円筒体と内側円筒体とを接続する薄肉連結部とを含む。外側円筒体の軸方向の上端部および下端部のうち、少なくともいずれか一方の端部には軸方向に凹凸となる形状を有する。
【００１７】
好ましくは、保持部は外側円筒体の外周に設けられた溝である。
【００１８】
さらに好ましくは、内側円筒体は、薄肉連結部の軸方向の一方側にのみ設けられる。
【００１９】
内側円筒体は薄肉連結部の他方側にも設けられてもよい。
【００２０】
また、凹凸となる形状は上端部および下端部の両方に設けられてもよい。
【００２１】
薄肉連結部には貫通孔が設けられてもよい。
【００２２】
この発明の他の局面においては、光ディスク装置は上記のダンパを有する。
【発明の効果】
【００２３】
この発明に係るダンパは、水平方向は柔らかく、且つ、軸方向はシャーシの変位を規制するため、メカシャーシのような振動する部材の水平方向の振動吸収性が大きく、また、位置決め性が良いとともに、軸方向の変位を抑えることができる。その結果、振動吸収と位置決め性を両立させることができるダンパおよびダンパを有する光ディスク装置を提供できる。
【図面の簡単な説明】
【００２４】
【図１】この発明の一実施の形態に係るダンパを示す図である。
【図２】図１に示したダンパの光ディスク装置への取付け状態を示す図である。
【図３】この発明の他の実施の形態に係るダンパを示す図である。
【図４】図３に示したダンパの光ディスク装置への取付け状態を示す図である。
【図５】この発明の更に他の実施の形態に係るダンパを示す図である。
【図６】図５に示したダンパの光ディスク装置への取付け状態を示す図である。
【図７】従来の光ディスク装置のダンパを示す図である。
【図８】従来の光ディスク装置のダンパを示す図である。
【発明を実施するための形態】
【００２５】
以下、この発明の一実施の形態を図面を参照して説明する。図１はこの発明の一実施の形態に係るダンパを示す図である。図１（Ａ）は平面図であり、図１（Ｂ）は図１（Ａ）においてＩＢ−ＩＢで示す部分の断面図であり、図１（Ｃ）は図１（Ｂ）においてＩＣ−ＩＣで示す部分の矢視図である。
【００２６】
図１を参照して、この実施の形態に係るダンパ１０はゴムのような弾性体で形成され、外側円筒体１１と、外側円筒体１１の内周面から離れて位置する内側円筒体１７と、外側円筒体１１と内側円筒体１７とを接続する薄肉連結部２２とを有する円筒状である。外側円筒体１１のほぼ中央部の外周には溝１２が設けられる。この溝１２によって外側円筒体１１は上部円筒部１１ａと下部円筒部１１ｂとに分かれている。上部円筒部１１ａは上端部に円周方向に所定の幅を有する平面部１３を有している。平面部１３の中央部には軸方向上側に突出する８個の突起部１４が設けられている。この突起部１４は平面部１３上において相互に等間隔に設けられている。上部円筒部１１ａはその内周において軸方向に延在する内周壁１５と、内壁部１５の下方において内壁部１５から内周方向に延在する水平の段部１６を有する。段部１６は内周方向に一定の長さを有している。ここで、上部円筒部１１ａの内周壁１５の内径をａとする。
【００２７】
一方、下部円筒部１１ｂは基本的に上部円筒部を溝１２の中央部を中心として線対称とした形状である。この形状に、段部１６の内周側端部から軸方向下側に延在する薄肉の内側円筒体１７が設けられている。すなわち、下部円筒部１１ｂは端部に所定の幅を有する平面部１８を有し、平面部１８の中央部には下部に突出する８個の突起部１９が設けられている。この突起部１９は平面部１８上において相互に等間隔に設けられている。下部円筒部１１ｂはその内周に内周壁２０と、内壁部２０の上端において内壁部２０から内周方向に延在する水平の段部２１を有する。したがって、薄肉連結部２２は溝１２と対向するダンパの内周側において、上側の段部１６と下側の段部２１との間で軸方向に直交する水平方向に設けられている。
【００２８】
なお、ここでは上下の円筒部の端部に突起部を設けたが、凹凸となる形状であれば任意の形状でよい。
【００２９】
この薄肉連結部２２の厚さは薄いほど、ダンパ１０の水平方向（径方向）の変位が容易になり、自由度が高い。
【００３０】
なお、ここでは、薄肉連結部２２を溝１２に対向する位置に設けたが、これに限らず、任意の位置に設けてもよい。
【００３１】
また、内側円筒体１７は下部円筒部１１ｂの段部２１の内径方向端部から軸方向に設けられている。内側円筒体１７の下端は下部円筒部１１ｂの突起部１９よりも下方まで延在し、図２に示すように、筐体のフレーム５１に当接する。内側円筒体１７の上端は上部円筒部１１ａの段部１６まで延在する。
【００３２】
なお、ここでは、内側円筒体１７の下端は突起部１９よりも長く延在しているが、突起部１９よりも短くても構わない。
【００３３】
なお、段部２１の径方向の長さをｃとし、内側円筒体１７の厚さをｄとし、内側円筒部１７の内径をｂとすると、下部円筒部１１ｂの内径ｂはｂ＝ａ−２×（ｃ＋ｄ）で表される。
【００３４】
次に、この実施の形態に係る光ディスク装置用ダンパの光ディスク装置への取付け状態について説明する。図２はこの実施の形態に係る光ディスク装置用ダンパの光ディスク装置への取付け状態を示す、一部断面図である。図２を参照して、ダンパ１０は、取付けねじ５３を筐体のフレーム５１に設けられた貫通孔５１ａに通し、ワッシャ５４およびナット５５を用いてフレーム５１に取付けられる。ダンパ１０の外周溝１２には、光ディスクを駆動するためのターンテーブルおよびスピンドルモータと、光ディスクを読取る光ピックアップとが設けられているメカシャーシ５２が取付けられる。このとき、メカシャーシ５２はダンパ１０の外周に設けられた溝１２で保持される。
【００３５】
なお、ここでは、メカシャーシ５２のような振動する部材を溝１２で保持する場合について説明しているが、これに限らず、外側円筒体１１に設けられた任意の保持部で保持してもよい。
【００３６】
取付けねじ５３は径方向に延在するヘッド５３ａとヘッド５３ａの中央部から下方向に延びる軸部５３ｂとを有し、軸部５３ｂの下端部にねじが設けられ、このねじにワッシャ５４を介してナット５５が係合することによってダンパ１０を筐体に固定している。
【００３７】
図２に示すように、取付け時にはダンパ１０の上下突起部１４，１９は取付けねじのヘッドの下部、および、筐体のフレーム５１に触れるか触れない程度の状態である。したがって、ダンパ１０によってメカシャーシ５２の軸方向の動きが規制されるため、メカシャーシ５２の振動が規制される。
【００３８】
一方、水平方向においては、ダンパ１０は、取付けねじ５３の外周に沿って軸方向に延在する内側円筒体１７で取付けねじ５３に当接しており、この内側円筒体１７とメカシャーシ５２を保持する溝１２との間は、薄肉連結部２２で保持されているため、取付けねじ５３とメカシャーシ５２との水平方向の位置関係は容易に保持することが可能である。
【００３９】
なお、ここでは、ダンパ１０は取付けねじ５３で筐体のフレーム５１に取付けられているが、これに限らず、取付けねじ５３のヘッドのような任意の上壁と、これに対向する筐体のフレーム５１のような任意の下壁との間を接続する任意の接続部材に取付けられてもよい。
【００４０】
すなわち、この実施の形態においては、ダンパ１０は、対向する上壁と下壁との間に配置され、弾性体で形成されている。ダンパは、振動する部材を保持する保持部を有する外側円筒体１１と、外側円筒体１１の内周部に設けられ、対向する上壁と下壁とを接続する取付けねじ５３を取り囲む内側円筒体１７と、外側円筒体１１と内側円筒体１７とを接続する薄肉連結部２２とを含み、外側円筒体１１の軸方向の上端部および下端部のうち、少なくともいずれか一方の端部には軸方向に凹凸となる形状を有している。
【００４１】
外側円筒体で振動するメカシャーシを保持し、外側円筒体と内側円筒体とが薄肉連結部で連結されているため、水平方向には柔軟性があり、振動吸収性が高まり且つ位置決めが容易である。一方、軸方向は内側円筒体や凹凸となる形状によってダンパの軸方向の移動が規制されるためシャーシの変位が抑制される。その結果、振動吸収性がよいとともに、位置決めが容易であるダンパを得ることができる。
【００４２】
なお、この実施の形態においては、内側円筒体１７は取付けねじ５３の軸部５３ｂを溝１２に対向する位置から筐体のフレーム５１に達するまでの全体の外周を保持しているが、これに限らず、取付けねじの一部のみを取り囲んでもよい。
【００４３】
次に、この発明の他の実施の形態に係るダンパについて説明する。図３はこの発明の他の実施の形態に係るダンパ３０を示す図である。図３（Ａ）はこの実施の形態における図１（Ａ）に対応する図であり、図３（Ｂ）は図３（Ａ）においてＩＩＩＢ−ＩＩＩＢで示す部分の断面図であり、図１（Ｂ）に対応する。なお、図１（Ｃ）に対応するダンパの下からの矢視図は、図１（Ｃ）と同じであるので、図示およびその説明は省略する。
【００４４】
また、図４はこの実施の形態におけるダンパ３０の光ディスク装置への取付け状態を示す図であり、先の実施の形態における図２に対応する。
【００４５】
先の実施の形態においては、段部に設けられる内側円筒体１７はダンパ１０の下方向にのみ設けられていたが、この実施の形態においては、ダンパの上方向にも設けられる。したがって、先の実施の形態と同一の部分については同一の符号を付して、その説明は省略する。
【００４６】
この実施の形態においては、ダンパ３０には、下方向に延在する内側円筒体１７に加えて、上方向に延在する内側円筒体３１が設けられる。この部分のみが先の実施の形態と異なる。
【００４７】
この実施の形態においても、水平方向においては、先の実施の形態と同様に自由度が高い。すなわち、この実施の形態に係るダンパは、軸方向においては、シャーシの変位を規制し、水平方向においては、振動吸収性が高くメカシャーシの取付け位置の保持が容易である、すなわち、位置決め性がよい。
【００４８】
次に、この発明のさらに他の実施の形態に係るダンパについて説明する。図５はこの実施の形態に係るダンパ４０を示す図である。図５（Ａ）はこの実施の形態における図１（Ａ）に対応する図であり、図５（Ｂ）は図５（Ａ）においてＶＢ−ＶＢで示す部分の断面図であり、図１（Ｂ）に対応する。なお、図１（Ｃ）に対応するダンパの下からの矢視図は、図１（Ｃ）と同じであるので、図示およびその説明は省略する。
【００４９】
上記した２つの実施の形態においては、上下の両面に突起部が設けられていたが、この実施の形態においては、上面部には突起部が設けられていない。それ以外については、最初の実施の形態と同様であるので、最初の実施の形態と同一の部分については同一の符号を付して、その説明は省略する。
【００５０】
この実施の形態においては、ダンパ４０には、上端部には突起部が設けられていないため、取付けねじ５３の下面にダンパ４０の上端面が面接触する。したがって、取付けねじ５３とダンパ４０とが軸方向においてより一体化されるため、シャーシの軸方向の変位をより規制できる。
【００５１】
一方、水平方向においては、先の実施の形態と同様である。
【００５２】
すなわち、この実施の形態に係るダンパは、水平方向においては、より優れた振動を吸収する特性を有するとともに、メカシャーシ５２の位置決め性がよい。
【００５３】
なお、この実施の形態においては、上端面の突起部のみを設けない場合について説明したが、これに限らず、下端面の突起部も設けないようにしてもよい。この場合は、ダンパの上端面だけでなく、下端面も筐体のフレーム５１に当接するため、より軸方向が拘束されるため、より高い軸方向の変位規制を持つ。
【００５４】
また、この実施の形態において、内側円筒体を上側にのみ設けるようにしてもよいし、両側に設けてもよい。
【００５５】
また、上記実施の形態においては、溝部や薄肉連結部をダンパのほぼ中心部に設ける場合について説明したが、これに限らず、軸方向にずれた位置に設けてもよい。
【００５６】
また、薄肉連結部の振動吸収性及び位置決め性をさらに高めるために、薄肉連結部に貫通孔や凹部を設けてもよいし、薄肉連結部を内側円筒体と外側円筒体とを接続する複数の帯状部材としてもよい。
【００５７】
なお、上記実施の形態においては、薄肉連結部を水平方向に設ける場合について説明したが、これに限らず、斜め方向に設けてもよい。
【００５８】
図面を参照してこの発明の実施形態を説明したが、本発明は、図示した実施形態に限定されるものではない。本発明と同一の範囲内において、または均等の範囲内において、図示した実施形態に対して種々の変更を加えることが可能である。
【産業上の利用可能性】
【００５９】
この発明に係るダンパは、水平方向は柔らかく、且つ、軸方向はシャーシの変位を規制するため、メカシャーシのような振動する部材の水平方向の振動吸収性が大きく、また、位置決め性がよいとともに軸方向の変位を抑えることができる。その結果、振動吸収と位置決め性を両立させることができるダンパおよびダンパを有する光ディスク装置のダンパとして有利に利用される。
【符号の説明】
【００６０】
１０，３０，４０  ダンパ、１１  外側円筒体、１１ａ  上部円筒部、１１ｂ  下部円筒部、１２  溝、１３  平面部、１４，１９  突起部、１５  内周壁、１６，２１  段部、１７  内側円筒体、１８  平面部、２０  内周壁、２２  薄肉連結部。
【図１】
2012138136.tif 000003
【図２】
2012138136.tif 000004
【図３】
2012138136.tif 000005
【図４】
2012138136.tif 000006
【図５】
2012138136.tif 000007
【図６】
2012138136.tif 000008
【図７】
2012138136.tif 000009
【図８】
2012138136.tif 000010